(57)【要約】      （修正有）【課題】シートの張架,交換作業を容易に短時間で行えるとともに、建て看板自体の交換や移設を容易に行えるようにする。【解決手段】各種情報を表示した柔軟性シートＳを枠体に緊張させて張架した建て看板Ａにおいて、上記の柔軟性シートＳの辺縁部に沿い、その柔軟性シートＳを弾性力により緊張させるための複数の弾性部材を所定の間隔で配列しておき、それら各弾性部材の一端を上記枠体に、かつ、その他端を柔軟性シートＳの辺縁部にそれぞれ掛止している。【選択図】図１
0003120010.tif 000002
【実用新案登録請求の範囲】
【請求項１】
各種の情報を表示した柔軟性シートを枠体に緊張させて張架した建て看板において、
上記の柔軟性シートの辺縁部に沿い、その柔軟性シートを弾性力により緊張させるための複数の弾性部材を所定の間隔で配列しておき、それら各弾性部材の一端を上記枠体に、かつ、その他端を柔軟性シートの辺縁部にそれぞれ掛止していることを特徴とする建て看板。
【請求項２】
柔軟性シートの辺縁部に、弾性部材の他端を掛止するための掛止用金具を上記所定の間隔で配列固定しており、枠体には、それら各弾性部材の一端を掛止するための掛止部材を配設していることを特徴とする請求項１に記載の建て看板。
【請求項３】
柔軟性シートの辺縁に沿って索状体を配設していることを特徴とする請求項１又は２に記載の建て看板。
【請求項４】
枠体が、縦枠の上下端部間に横枠を架設して構成されており、それら縦枠と横枠とにより区画形成される表裏２つの開口のそれぞれに柔軟性シートを張設していることを特徴とする請求項１〜３のいずれかに記載の建て看板。
【請求項５】
枠体を支柱によって支持しており、その支柱を、地面に固定された下側支柱と、枠体を支持する上側支柱とを連結部により分離可能に連結した構造にしていることを特徴とする請求項１〜４のいずれかに記載の建て看板。
【請求項６】
各種情報は、避難場所を含む地図情報及びこの避難場所に関連する関連情報を有する災害時避難情報であり、柔軟性シートの一部に、その災害時避難情報を蓄積したオリジンサーバの識別情報を表示していることを特徴とする請求項１〜５のいずれかに記載の建て看板。
【請求項７】
枠体内に光源を配設していることを特徴とする請求項１〜６のいずれかに記載の建て看板。
【請求項８】
地震を検出する地震検出手段と、この地震検出手段により検出した地震が、既定の震度以上であったときには、光源を周期的に点滅させる光源点滅手段とを設けていることを特徴とする請求項７に記載の建て看板。
【請求項９】
異なる発光色にした複数の光源を枠体内に配設しているとともに、地震を検出する地震検出手段と、この地震検出手段により検出した地震が、既定の震度以上であったときには、異なる発光色にした複数の光源を発光色ごとに又はそれらの発光色を組み合わせて点滅させる光源点滅手段と設けたことを特徴とする請求項１〜７のいずれかに記載の建て看板。
【請求項１０】
柔軟性シートには、オリジンサーバの識別情報を示すＱＲコードを表示していることを特徴とする請求項６〜９のいずれかに記載の情報取得システム。
【考案の詳細な説明】
【技術分野】
【０００１】
本考案は、例えば駐車場等の屋外に設置する建て看板に関する。
【背景技術】
【０００２】
この種の建て看板として、例えば特開平１０−１２３９９０号公報に記載された構造のものがある。図１４は、その従来の建て看板の正面図、図１５は、テンション金物を主とした断面図、図１６は、テンション金物の斜視図である。
【０００３】
この従来の建て看板は、正面視において方形にした看板枠１の各枠材毎に数個のテンション金物２を配列固定した構成のものである。
テンション金物２は、ポリ塩化ビニール等で形成されて看板のフェイス面を構成するシート３の挿入溝４，４と、これに連通するとともに、シート３の側端に配設された保持杆５の挿通孔６，６を設けた保持枠７と、この保持枠７の略中央部に所望の看板枠１に取り付けるためのボルト取付孔８を設けた構成のものであり、そのボルト取付孔８にボルト９を挿入して看板枠７に螺着している。なお、１０は看板枠１内に設置された蛍光灯である。
【考案の開示】
【考案が解決しようとする課題】
【０００４】
上記した従来の建て看板は、上記の刊行物には詳細な説明が欠落しているために必ずしも明らかではないが、上記のテンション金物２を用いてシート３を看板枠１に張架するには、保持枠７を看板枠１に固定するためのボルト９を緩めておき、シート３の側端に配設された保持杆５を各テンション金物２の挿通孔６，６に挿入し、この挿入後、各テンション金物２を固定するためのボルト９を締める作業を行うことになると思量される。
【０００５】
しかしながら、このような構成によっては、シート３の上記張架作業が煩雑で時間を要することが容易に推認されるとともに、そのシート３を交換しようとする場合には、各テンション金物２を支持しているボルト９…を各々緩めた後、シート３の側端に設けられた挿通孔６，６から保持杆５を抜き出す作業を行う必要があるが、上記した張架作業と同様に、その交換作業が極めて煩雑であることが認められ、その張架作業と同様に時間を要する。
【０００６】
さらに、上記したものを含む従来の建て看板は、シートを交換することを前提とすることなく、看板枠を支える支柱を地面に打設したコンクリート等により固定している。
従って、所定の場所に一度設置した後に新たな建て看板と交換する必要が生じたときや、その建て看板を他の場所に移設したいという要望があったときにも、これらの要望に応えることはできないという問題がある。
【０００７】
そこで本考案は、シートの張架,交換作業を容易に短時間で行えることを主たる目的とし、また、建て看板自体の交換や移設を容易に行えることを副たる目的としている。
【課題を解決するための手段】
【０００８】
上記目的を達成するための本考案の構成は、次のとおりである。
請求項１に記載の建て看板は、各種の情報を表示した柔軟性シートを枠体に緊張させて張架したものであり、その柔軟性シートの辺縁部に沿い、その柔軟性シートを弾性力により緊張させるための複数の弾性部材を所定の間隔で配列しておき、それら各弾性部材の一端を上記枠体に、かつ、その他端を柔軟性シートの辺縁部にそれぞれ掛止していることを特徴としている。
【０００９】
請求項２に記載の建て看板は、請求項１に記載した柔軟性シートの辺縁部に、弾性部材の他端を掛止するための掛止用金具を上記所定の間隔で配列固定しており、枠体には、それら各弾性部材の一端を掛止するための掛止部材を配設している。
【００１０】
請求項３に記載の建て看板は、請求項１又は２に記載した柔軟性シートの辺縁に沿って索状体を配設している。
【００１１】
請求項４に記載の建て看板は、請求項１〜３のいずれかに記載した枠体が、縦枠の上下端部間に横枠を架設して構成されており、それら縦枠と横枠とにより区画形成される表裏２つの開口のそれぞれに柔軟性シートを張設している。
【００１２】
請求項５に記載の建て看板は、請求項１〜４のいずれかに記載した枠体を支柱によって支持しており、その支柱を、地面に固定された下側支柱と、枠体を支持する上側支柱とを連結部により分離可能に連結した構造にしている。
【００１３】
請求項６に記載の建て看板は、請求項１〜５のいずれかに記載した各種情報が、避難場所を含む地図情報及びこの避難場所に関連する関連情報を有する災害時避難情報であり、柔軟性シートの一部に、その災害時避難情報を蓄積したオリジンサーバの識別情報を表示している。
【００１４】
請求項７に記載の建て看板は、請求項１〜６のいずれかに記載した枠体内に光源を配設した構成のものである。
【００１５】
請求項８に記載の建て看板は、請求項７に記載した構成に加えて、地震を検出する地震検出手段と、この地震検出手段により検出した地震が、既定の震度以上であったときには、光源を周期的に点滅させる光源点滅手段とを設けている。
【００１６】
請求項９に記載の建て看板は、請求項１〜７のいずれかに記載した構成に加えて、異なる発光色にした複数の光源を枠体内に配設しているとともに、地震を検出する地震検出手段と、この地震検出手段により検出した地震が、既定の震度以上であったときには、異なる発光色にした複数の光源を発光色ごとに又はそれらの発光色を組み合わせて点滅させる光源点滅手段と設けている。
【００１７】
請求項１０に記載の建て看板は、請求項６〜９のいずれかに記載した柔軟性シートに、オリジンサーバの識別情報を示すＱＲコードを表示している。
【考案の効果】
【００１８】
請求項１〜９に記載した考案によれば、柔軟性シートの辺縁部に沿って所定の間隔で配列した複数の弾性部材の各一端を上記枠体に、かつ、その他端を柔軟性シートの辺縁部にそれぞれ掛止しているので、柔軟性シートを張架するときには、その弾性部材の一端を枠体に掛止するとともに、他端を柔軟性シートの辺縁部に掛止するだけで、柔軟性シートの張架作業を容易に短時間で行うことができる。
また、張架されていた柔軟性シートを交換するときには、枠体に掛止されていた弾性部材の一端の掛止状態を解除するか、柔軟性シートに掛止されていた他端の掛止状態を解除するだけで、柔軟性シートを容易にかつ短時間で取り外すことができる。
【００１９】
請求項１〜９に記載の考案で得られる上記共通の効果に加え、各請求項に記載した考案によれば次の効果を得ることができる。
請求項２に記載した考案によれば、柔軟性シートの辺縁部に、弾性部材の他端を掛止するための掛止用金具を上記所定の間隔で配列固定しており、枠体には、それら各弾性部材の一端を掛止するための掛止部材を配設しているので、柔軟性シートの架設作業と取外し作業とを容易に行うことができる。
【００２０】
請求項３に記載した考案によれば、柔軟性シートの辺縁に沿って配設した索状体により、その辺縁部を補強することができるとともに、弾性部材により掛止用金具に加えられる引張り力を分散することができる。すなわち、各掛止用部材に加わる集中応力を分散緩和することができる。
【００２１】
請求項４に記載した考案によれば、枠体が、縦枠の上下端部間に横枠を架設して構成されており、それら縦枠と横枠とにより区画形成される表裏２つの開口のそれぞれに柔軟性シートを張設しているので、各種情報の表示面積を増大させることができる。
【００２２】
請求項５に記載した考案によれば、枠体を支持する支柱を、地面に固定された下側支柱と、枠体を支持する上側支柱とを連結部により分離可能に連結した構造にしているので、建て看板自体の移設や交換を容易に行うことができる。
【００２３】
請求項６に記載した考案によれば、各種情報は避難場所を含む地図情報及びこの避難場所に関連する関連情報を有する災害時避難情報であり、その柔軟性シートの一部に、その災害時避難情報を蓄積したオリジンサーバのＵＲＬ情報が表示されているので、例えば携帯電話等の携帯型情報端末を使用して避難場所を含む地図情報とともに、関連情報等を容易に取得することができる。
【００２４】
請求項７に記載した考案によれば、枠体内に光源を配設しているので、夜間等においても柔軟性シートに表示された各種情報を視認しやすい。
【００２５】
請求項８に記載した考案によれば、地震検出手段により検出した地震が、既定の震度以上であったときには、光源を周期的に点滅させているので、建て看板を見出しやすく、夜間等においても柔軟性シートに表示された各種情報を視認しやすい。
【００２６】
請求項９に記載した考案によれば、互いに異なる発光色にした複数の光源を、通常時とは異なる発光色で点灯させられるので、地震等の緊急時において視認されやすく、当該建て看板に表示されている各種情報を視認しやすい。
【００２７】
請求項１０に記載した考案によれば、柔軟性シートに、オリジンサーバの識別情報を示すＱＲコードが表示されているので、オリジンサーバへのアクセスを容易に短時間で行うことができる。
【考案を実施するための最良の形態】
【００２８】
以下に、本考案を実施するための最良の形態について、図面を参照して説明する。図１は、本考案の一実施形態に係る建て看板の斜視図、図２（Ａ）は、その建て看板の平面図、（Ｂ）はその正面図、図３（Ａ）は、枠体のフレーム構造を示す上面図、（Ｂ）はその正面図、図４は、その側面図、図５は、結合片の拡大正面図、図６は、吊上げアイボルトの拡大正面図である。
【００２９】
本考案の一実施形態に係る建て看板Ａは、複数の光源２０…を内設した枠体２１に、外装板２２〜２５及び外装フレーム２６，２６を取着して構成した看板本体Ｂを、これの両側に近接配置した一対の支柱Ｃ,Ｃによって支持した構成のものであり、例えば駐車場や空き地等に設置されている。
【００３０】
枠体２１は、図３，４に示すように、縦枠２７,２７の上下端部間に横枠２８,２８を架設することにより、幅Ｗ=２１５０（ｍｍ）、高さＨ=２１５０（ｍｍ）、奥行きＤ=２５０（ｍｍ）ほどの大きさにした直方体形に形成されている。
【００３１】
縦枠２７（２７）は、断面Ｌ字形の縦枠材２９,２９を上記した奥行きＤとなる間隔にするとともに、これらの上下端部間に同じく断面Ｌ字形の連結材３０,３０を、また、それらの間を四分する位置に断面Ｌ字形の連結材３１,３２，３３を横架している。
【００３２】
上側の連結材３０と連結材３１との間には、後述する結合片４０を取り付けるための、断面Ｌ字形の取付け材３４，３５を互いに所要の間隔にして配設しているとともに、これら取付け材３４，３５の両端部には、これらを結ぶ対角線上に補強材３６，３６を交差させて連結している。
また、下側の連結材３０と連結材３３との間には、後述する結合片４０を取り付けるための、断面Ｌ字形の取付け材３７，３８を互いに所要の間隔にして配設しているとともに、上記の補強材３６，３６と同様に、それら取付け材３７，３８の両端部を結ぶ対角線上に補強材３９，３９を交差させて連結している。
なお、この縦枠２７（２７）には、上記した外装板２３，２５がネジにより取り付けられている。
【００３３】
結合片４０（４０）は、図５に示すように、縦寸法１００（ｍｍ）、幅寸法３８（ｍｍ）ほどの縦長方形の板材であり、図示しないボルトを遊挿するためのボルト孔４１，４１を上端部近傍と下端部近傍に穿設されており、後述する支柱Ｃに設けた結合片４２とボルトにより螺合することにより、枠体２１を支柱Ｃに固定するためのものである。
【００３４】
横枠２８（２８）は、断面Ｌ字形の横枠材４３,４３を上記した奥行きＤとなる間隔にするとともに、これらの左右端部間を四分する位置に連結材４４，４５，４６を横架して構成されている。
これらの横架材２８（２８）には、外装板２２〜２５のうち、外装板２２（２４）がネジにより取り付けられている。
【００３５】
連結材４４，４６の各中央部には、図３，６に示す吊上げ用アイボルト４７，４７をそれぞれ遊挿するためのボルト孔４８，４８（図３参照）が穿設されている。
吊上げ用アイボルト４７は、図６に示すように、上半部にリング部４７ａが形成されているとともに、下半部にネジ部４７ｂが形成されたものである。
そして、そのネジ部４７ｂを連結材４４（４６）の上側から、外装板２２を挟入した状態でボルト孔４８（４８）に挿入するとともに、連結材４４（４６）の下側からナット４９（４９）を螺合させ、さらに、連結材４４（４６）とナット４９（４９）とを溶接等で溶着固定している。
【００３６】
次に、枠体に設けた掛止部材について図７〜９を参照して説明する。図７は、枠体の正面図、図８は、その部分側面図、図９は、看板本体のＩ-Ｉ線に沿う断面図である。
掛止部材５０は、詳細を後述する弾性部材５１の一端を掛止するためのものであり、縦枠材２９（２９）のほぼ上下端部間にわたる全長にして形成されている。
本実施形態において「掛止」とは、引っ掛けて止めることを意味している。従って、「掛止部材」を「フック部材」、若しくは単に「フック」と呼称することもできる。
【００３７】
この掛止部材５０は、図７〜９に示すように、縦枠材２９よりもやや短い全長にした棒状部５２の両端に脚部５３，５３を形成したものであり、その脚部５３により棒状部５２と縦枠材２９との間に所要の間隙が形成されるようにしている。
「所要の間隙」は、後述する弾性部材５１の引掛け部５１ａを差し入れられる程度かそれ以上の隙間のことである。
【００３８】
弾性部材５１は、図９に示すように、コイル部５１ｂの両端部に略円弧形の引掛け部５１ａ，５１ｃを形成した金属製の所謂コイルスプリングであり、詳細を後述する柔軟性シートＳの掛止用金具６１と上記した掛止部材５０との間に張架したときに、その柔軟性シートＳを緊張させられ、かつ、容易に取り外し作業を行える程度の弾性力を発揮できるようにしている。
なお、弾性部材としては、上記したコイルスプリングに限らず、柔軟性シートＳを緊張させられる程度の弾性力を発揮できるゴムやプラスチック製の公知の構成からなるものを含んでいる。
【００３９】
掛止部材５４は、弾性部材５１の一端を掛止するためのものであり、横枠材４３（４３）のほぼ上下端部間にわたる全長にして形成されており、掛止部材５０と同様に、横枠材４３よりもやや短い全長にした棒状部の両端に脚部を形成したものであり、その脚部により棒状部と横枠材４３との間に、上記と同様の所要の間隙が形成されるようにしている。  
【００４０】
これら掛止部材５０，５０、５４，５４は、図９に示すように、枠体２１の縦枠２７，２７と横枠２８，２８の両面（表裏面）に配設されており、これにより、縦枠２７，２７と横枠２８，２８とにより区画形成される表裏２つの開口のそれぞれに柔軟性シートＳを張設できるようにしている。
【００４１】
図１０（Ａ）は、看板本体内に配列した光源を示す正面図、（Ｂ）は、その側面図である。
光源２０は、本実施形態においては蛍光灯であり、これを枠体２１内に多段に配列してなるものである。なお、図１０には、１３本の蛍光灯を、縦枠２７，２７に外端を固定したブラケット５５…により配設した例を示している。
【００４２】
光源２０…は、夜間において点灯されるようになっているが、地震を検出する機能（地震検出手段）と、この地震検出手段により検出した地震が、既定の震度以上であったときには、光源を周期的に点滅させる機能（光源点滅手段）とを、図示しないコンピュータに発揮させるようにしておき、そのコンピュータの出力側に光源２０…を接続して適宜点灯制御してもよい。この場合、建て看板Ａの存在を容易に認識させることができる。
また、光源２０…の電源となるバッテリと、既定の震度以上であったときには外部電源から上記バッテリに切り換える切替え手段（コンピュータ）とを設けた構成が好ましい。
「既定の震度」は、家屋が半壊や損壊する程度の大きな震度のことである。
【００４３】
柔軟性シートＳは次のような構成になっている。図１２は、枠体内に緊張させて張架した柔軟性シートの正面図である。
柔軟性シートＳは例えばポリ塩化ビニール製のものであり、縦横１８０（ｍｍ）ほどの正方形に形成されている。
この柔軟性シートＳの各辺縁部には、これに沿って索状体６０（図９参照）が無端状にして配設されているとともに、これの内側至近位置に、上記した弾性部材５１の内端側の引掛け部５１ｃを掛止するためのリング形の掛止用金具６１…が所定の間隔で配列固定されている。
「所要の間隔」は、本実施形態においては、各辺縁をほぼ１８分する間隔にしているが、この間隔は、柔軟性シートＳの材質，厚みや縦横寸法の長短によって設定すればよいものである。
【００４４】
索状体６０は、植物繊維や針金などを長くより合わせた所謂ロープであり、柔軟性シートＳの辺縁部に巻き込んで縫着することにより固定されている。これにより、柔軟性シートＳの辺縁部を補強することができるとともに、弾性部材５１により掛止用金具６１を介して柔軟性シートＳに加えられる引張り力を分散させることができ、当該柔軟性シートＳの強度を向上させられる。
【００４５】
この柔軟性シートＳの表面には、各種の情報が表示されている。
「各種の情報」は、建て看板Ａを設置している例えば駐車場等の設置場所を中心とした、避難場所を含む周辺の地図情報６２、及びその地図情報６２の一部、具体的には、その地図情報６２の下方に、識別情報を示す二次元コード６３等である。
「識別情報」は、避難場所を含む周辺の地図情報、及びその避難場所に関連する関連情報を有している災害時避難情報を蓄積した後述するオリジンサーバＨのＵＲＬ（Uniform Resource Locator）情報である。
【００４６】
「災害時避難情報」は、地震等の災害発生時に、当該避難場所における医師による救護活動等の救急医療、飲用水，食料が搬送されることの有無、仮設トイレが設置されるか否か、避難場所毎の混雑状況、当該避難場所に避難している罹災者の人数や罹災者を特定するための情報、上記地図情報に示されていない他の避難場所を含む地図情報、避難場所の混雑状況、地震や火災等による被害を受けている地域等に関する情報である。
【００４７】
二次元コード６３は、ＱＲコード、ＰＤＦ４１７、ＤＡTＡＭＡＴＲＩＸ、ＭＡＸＩＣＯＤＥ、バーコード等であるが、本実施形態においては、ＱＲコード変換機能付きの携帯型情報端末のひとつである携帯電話Ｋで読み取りできるＱＲコードを例として示している。
【００４８】
このＱＲコードを、ＱＲコード変換機能付きの携帯電話Ｋに設けられているカメラで撮影することにより自動的にＵＲＬに変換され、これにより、容易にオリジンサーバＨにアクセスすることができる。
【００４９】
「ＵＲＬ」とは、インターネット上に存在する情報資源（文書や画像等）の場所を指し示す記述方式であり、情報の種類やサーバ名、ポート番号、フォルダ名、ファイル名等で構成されている。
【００５０】
本実施形態においては、ＱＲコードを読み取る機能を有していない携帯電話等のために、ＩＰアドレス６４、ＵＲＬ６５を併記している。この場合、これらの識別情報を携帯電話Ｋ等のキーボードＫａから打ち込むことにより、オリジンサーバＨにアクセスすることができる。
【００５１】
図１２は、支柱の部分拡大図である。
支柱Ｃ（Ｃ）は、一辺が１００（ｍｍ）ほどの断面正方形の中空パイプであり、地面Ｇにコンクリートを打設した基礎７０に固定された下側支柱７１と、枠体２１を支持する上側支柱７２とを連結部Ｅにより上下に分離可能に連結した構造になっている。
上側支柱７２の上半部側には、縦寸法１００（ｍｍ）、幅寸法３８（ｍｍ）ほどの縦長方形の板材からなる結合片４２，４２が、前記した結合片４０，４０に対向する位置に形成されている。
【００５２】
結合片４２（４２）は、図示しないボルトを遊挿するためのボルト孔７３，７３（７３，７３）を上端部近傍と下端部近傍に穿設されており、図９に示すように、前述した結合片４０（４０）と重合した状態でボルト７４（７４）及びナット７５（７５）により螺着するためのものである。これにより、看板本体Ｂを支柱Ｃ，Ｃの上半部側に固定することができる。
【００５３】
この上側支柱７２の下端面７２ａは開口されており、その下端面７２ａの至近位置の一側壁にボルト遊挿孔７２ｂが穿設されている。
下側支柱７１は、上述したように、これの下端部が基礎７０に埋設固定されているとともに、上端面７１ａに連結突起７１ｂを突出させて形成している。
【００５４】
連結突起７１ｂは、上側支柱７２の内径Ｗ１に一致する外径Ｗ２にした縦長の直方体形のものであり、これの側壁面には、上記したボルト遊挿孔７２ｂに対向する位置にネジ孔７１ｃが形成されている。
本実施形態においては、連結部Ｅを上側支柱７２の下端面に形成した開口と、下側支柱７１の連結突起７１ｃにより構成している。
【００５５】
このような構造によれば、下側支柱７１の連結突起７１ｂに上側支柱７２を差し込むと、その連結突起７１ｂが上側支柱７２に嵌入されて、上側，下側支柱７２，７１どうしをしっかりと連結することができる。
また、上側支柱７２の下端面が下側支柱７１の上端面７１ａに当接して位置決めされて、上側支柱７２のボルト遊挿孔７２ｂと、下側支柱７１のネジ孔７１ｃとが対向する。そして、ボルト７６をボルト遊挿孔７２ｂからネジ孔７１ｃに螺入して上側支柱７２と下側支柱７１とを固定する。
【００５６】
さらに、看板本体Ｂを移設又は交換等するときには、ボルト７６を抜いて下側支柱７１から上側支柱７２を抜き出すだけでよい。このとき、看板本体Ｂに設けたアイボルト４７，４７により吊り上げるようにして上側支柱７２，７２を抜き出せば、より短時間に移設等の作業を行うことができる。
【００５７】
図１３は、建て看板の他の実施形態を示す斜視図である。なお、前記図１〜図１３において説明したものと同等のものについては同一の符号に「′」又は「″」を付して、それらの詳細な説明を省略する。
【００５８】
建て看板Ａ′は、２つの看板本体Ｂ′，Ｂ′を並設するとともに、これらの看板本体Ｂ′，Ｂ′を３本の支柱Ｃ′，Ｃ′，Ｃ′で支持した構成のものである。 
この建て看板Ａ´では、看板本体Ｂ′，Ｂ′のうちの一方のものの柔軟性シートＳ′を、前述したものと同様の地図情報６２′を表示しているとともに、他方のものの柔軟性シートＳ″を広告掲示として使用したものである。
【００５９】
なお、本考案は前述した実施形態に限るものではなく、次のような変形実施が可能である。
・前述した実施形態においては、枠体が、縦枠の上下端部間に横枠を架設して構成されており、それら縦枠と横枠とにより区画形成される表裏２つの開口のそれぞれに柔軟性シートを張設した構成のものについて説明したが、表裏２つの開口のうちのいずれか一方にだけ柔軟性シートを緊張張架した構成にしてもよい。
・前述した実施形態においては、光源として蛍光灯を例として説明したが、ネオンガス等を封入したネオン管や白熱灯等を適宜採用することができる。
【００６０】
・柔軟性シートＳ，Ｓ′，Ｓ″の表面に、自発光塗料や蓄光塗料等の夜光塗料を塗布した構成にしてもよい。この場合、柔軟性シートＳ，Ｓ′，Ｓ″の表面が夜間に光らせることができるので、前述した各種情報の取得を容易に行うことができる。
【図面の簡単な説明】
【００６１】
【図１】本考案の一実施形態に係る建て看板の斜視図である。
【図２】（Ａ）は、同上の建て看板の平面図、（Ｂ）はその正面図である。
【図３】（Ａ）は、枠体のフレーム構造を示す上面図、（Ｂ）はその正面図である。
【図４】同上の枠体の側面図である。
【図５】結合片の拡大正面図である。
【図６】吊上げアイボルトの拡大正面図である。
【図７】枠体の正面図である。
【図８】同上の枠体の部分側面図である。
【図９】看板本体のＩ-Ｉ線に沿う断面図である。
【図１０】（Ａ）は、看板本体内に配列した光源を示す正面図、（Ｂ）は、その側面図である。
【図１１】枠体内に緊張させて張架した柔軟性シートの正面図である。
【図１２】支柱の部分拡大図である。
【図１３】建て看板の他の実施形態を示す斜視図である。
【図１４】従来の建て看板の正面図である。
【図１５】従来の建て看板で使用されているテンション金物を主とした断面図である。
【図１６】そのテンション金物の斜視図である。
【符号の説明】
【００６２】
２０                  光源
２１                  枠体
２７                  縦枠
２８                  横枠
５１                  弾性部材
６１                  掛止用金具
５０，５４            掛止部材
６０                  索状体
６２，６２′          地図情報（各種情報）
７１                  下側支柱
７２                  上側支柱
Ａ，Ａ′              建て看板
Ｃ                    支柱
Ｅ                    連結部
Ｓ，Ｓ′，Ｓ″        柔軟性シート
【図１】
0003120010.tif 000003
【図２】
0003120010.tif 000004
【図３】
0003120010.tif 000005
【図４】
0003120010.tif 000006
【図５】
0003120010.tif 000007
【図６】
0003120010.tif 000008
【図７】
0003120010.tif 000009
【図８】
0003120010.tif 000010
【図９】
0003120010.tif 000011
【図１０】
0003120010.tif 000012
【図１１】
0003120010.tif 000013
【図１２】
0003120010.tif 000014
【図１３】
0003120010.tif 000015
【図１４】
0003120010.tif 000016
【図１５】
0003120010.tif 000017
【図１６】
0003120010.tif 000018
【手続補正書】
【提出日】平成18年1月16日(2006.1.16)
【手続補正１】
【補正対象書類名】実用新案登録請求の範囲
【補正対象項目名】請求項１０
【補正方法】変更
【補正の内容】
【請求項１０】
柔軟性シートには、オリジンサーバの識別情報を示すＱＲコードを表示していることを特徴とする請求項６〜９のいずれかに記載の建て看板。